(57)【要約】【課題】スパチュラを折りたたみ式とすることで使い勝手のよい、スパチュラ付き容器を提供する。【解決手段】上面開口の口部４４を有する容器体３０と、この容器体３０の一部に組付けられた折りたたみ式スパチュラ２とを具備する。前記折りたたみ式スパチュラ２は、前記容器体３０の口部４４から内容物を取り出すためのほぼ板状のスパチュラ本体２０と、このスパチュラ本体２０の基端部２０ａに長手方向の一方端部を枢着軸Ａを介して連結させた柄部４とを含む。前記スパチュラ本体２０を、前記枢着軸Ａを中心として、当該枢着軸の方向から見て前記柄部４と重なる第１位置と、第１位置から反転させた第２位置との間を回転可能に形成した。【選択図】図２
2020103693.tif 000002
【特許請求の範囲】
【請求項１】
上面開口の口部(４４)を有する容器体(３０)と、この容器体(３０)の一部に組付けられた折りたたみ式スパチュラ(２)とを具備し、
前記折りたたみ式スパチュラ(２)は、
前記容器体(３０)の口部(４４)から内容物を取り出すためのほぼ板状のスパチュラ本体(２０)と、
このスパチュラ本体(２０)の基端部(２０ａ)に長手方向の一方端部(４ａ)を枢着軸(Ａ)を介して連結させた柄部(４)とを含み、
前記スパチュラ本体(２０)を、前記枢着軸(Ａ)を中心として、当該枢着軸の方向から見て前記柄部(４)と重なる第１位置と、第１位置から反転させた第２位置との間を回転可能に形成したことを特徴とする、スパチュラ付き容器。
【請求項２】
前記スパチュラ本体(２０)の先端部(２０ｂ)に前記容器体(３０)の口部(４４)から内容物を取り出して保持するための保持部(２４)を形成するとともに、前記スパチュラ本体(２０)の先端部(２０ｂ)及び基端部(２０ａ)の間の中間部(２０ｃ)に前記容器体(３０)の一部に掛止させるための掛止部(２６)を設けたことを特徴とする、請求項１に記載のスパチュラ付き容器。
【請求項３】
前記容器体(３０)の一部に掛止させるための掛止部として、前記スパチュラ本体(２０)の幅方向の側辺(Ｓ)の一部を凹設してなる凹状掛止部(２６Ａ)を形成したことを特徴とする、請求項１又は請求項２に記載したスパチュラ付き容器。
【請求項４】
前記容器体(３０)の一部に掛止させるための掛止部として、前記板状のスパチュラ本体(２０)の少なくとも表面(ｆ１)又は裏面(ｆ２)の一方から突設する凸状掛止部(２６Ｂ)を形成したことを特徴とする、請求項１から請求項３のいずれかに記載したスパチュラ付き容器。
【請求項５】
前記柄部(４)は、前記第１位置において、少なくとも前記スパチュラ本体(２０)の先端部(２０ｂ)に形成する保持部(２４)を覆う収納部(Ｒ)を有することを特徴とする、請求項１から請求項４のいずれかに記載したスパチュラ付き容器。
【発明の詳細な説明】
【技術分野】
【０００１】
本発明は、スパチュラ付き容器に関する。
【背景技術】
【０００２】
例えばクリーム収納用の広口容器（ジャー容器）では、必要な量を掬い取るためにスパチュラ（匙）が提供されることが多い。
この種のスパチュラ付き容器として、
上面開口の筒周壁を有する容器体と、
前記筒周壁の上部内に嵌合された蓋板の周端から起立周壁を介して外方突出させた鍔部を上記筒周壁の上端面に載置させた中蓋と、
有頂筒状であって前記筒周壁の上部外面に嵌合させた外蓋とを具備し、
前記蓋板の上面から起立する一対の挟持片の間に横置き状態のスパチュラを挟持させるように構成したものが知られている（特許文献１）。
【先行技術文献】
【特許文献】
【０００３】
【特許文献１】特開２０１３−１１１３５１
【発明の概要】
【発明が解決しようとする課題】
【０００４】
特許文献１のスパチュラ付き容器の構成では、前記容器体の筒周壁内に嵌合させた蓋板の上に横置き状態でスパチュラを収納するため、スパチュラのサイズに制限を生ずる。
この点に関して、使用時と非使用時（収納時）とで長さを変更することで使用性と収納性との両立を可能する点において、改善の余地があった。
【０００５】
本発明の目的は、スパチュラを折りたたみ式とすることで使い勝手のよい、スパチュラ付き容器を提供することである。
【課題を解決するための手段】
【０００６】
第１の手段は、
上面開口の口部４４を有する容器体３０と、この容器体３０の一部に組付けられた折りたたみ式スパチュラ２とを具備し、
前記折りたたみ式スパチュラ２は、
前記容器体３０の口部４４から内容物を取り出すためのほぼ板状のスパチュラ本体２０と、
このスパチュラ本体２０の基端部２０ａに長手方向の一方端部４ａを枢着軸Ａを介して連結させた柄部４とを含み、
前記スパチュラ本体２０を、前記枢着軸Ａを中心として、当該枢着軸の方向から見て前記柄部４と重なる第１位置と、第１位置から反転させた第２位置との間を回転可能に形成した。
【０００７】
本手段は、折りたたみ式スパチュラを備えたスパチュラ付き容器を提案している。
前記折りたたみ式スパチュラ２は、図２に示す如く、スパチュラ本体２０の基端部２０ａと柄部４の長手方向の一方端部４ａとを枢着軸Ａで連結している。
従って、保管時には、同図に示す如く、前記スパチュラ本体２０と柄部４とが前記枢着軸Ａの方向から見て重なり合う折りたたみ状態（第１位置）としておき、使用する時に、図５（Ｂ）に示す如く、前記柄部４に対して前記スパチュラ本体２０が反転された状態（第２位置）へ当該スパチュラ本体２０を回転操作させることができる。
従ってスパチュラの使用時と非使用時（収納時）とにおいて長さを変更することができるので、使い勝手が良い。
【０００８】
第２の手段は、第１の手段を有し、かつ
前記スパチュラ本体２０の先端部２０ｂに前記容器体３０の口部４４から内容物を取り出して保持するための保持部２４を形成するとともに、前記スパチュラ本体２０の先端部２０ｂ及び基端部２０ａの間の中間部２０ｃに前記容器体３０の一部に掛止させるための掛止部２６を設けた。
【０００９】
本手段では、図２に示す如く、前記スパチュラ本体２０の先端部２０ｂに前記容器体３０の口部４４から内容物を取り出して保持するための保持部２４を形成するとともに、前記スパチュラ本体２０の先端部２０ｂ及び基端部２０ａの間の中間部２０ｃに前記容器体３０の一部（例えば口部４４）に掛止させるための掛止部２６を設けている。
これによれば、前記容器体３０の口部４４への掛け止め用の掛止部２６を前記保持部２４とは別の場所に設けたから、当該掛止部２６を前記口部４４へ仮置きしたときに、例えば前記保持部２４が前記容器体３０の口部４４の外面に付着して保持部２４に付着していた内容物が口部４４に外面に移り、汚れとなることがなく、扱い易い。
既述特許文献１のスパチュラ付き容器の構成では、内容物を使用している間、例えばスパチュラで容器体から掬って被塗布面に付け、手で塗り広げている間に、スパチュラを置く場所に困ることがある。
一度内容物を掬い取ったスパチュラを、例えば化粧台の上などに置くと、スパチュラの先端部（掬い部）に付着した内容物が化粧台の表面に移って無駄になるとともに、よごれとなる。
前述の掛止部２６を設けることにより、こうした従来技術の不便を解消できる。
【００１０】
第３の手段は、第１の手段又は第２の手段を有し、かつ前記容器体３０の一部に掛止させるための掛止部として、前記スパチュラ本体２０の幅方向の側辺Ｓの一部を凹設してなる凹状掛止部２６Ａを形成した。
【００１１】
本手段では、前記容器体３０の一部に掛止させるための掛止部として、図４に示す凹状掛止部２６Ａを形成している。
この凹状掛止部２６Ａは、前記スパチュラ本体２０の幅方向の側辺Ｓの一部を凹設している。この構成によれば、スパチュラ本体２０の側面Ｓから突出することなく、掛止部を形成することができる。従って、スパチュラ全体の嵩張りを抑えることが可能となる。
【００１２】
第４の手段は、第１の手段から第３の手段のいずれかを有し、かつ前記容器体３０の一部に掛止させるための掛止部として、前記板状のスパチュラ本体２０の少なくとも表面ｆ１又は裏面ｆ２の一方から突設する凸状掛止部２６Ｂを形成した。
【００１３】
本手段では、図３に示す如く、前記容器体３０の一部に掛止させるための掛止部として板状のスパチュラ本体２０の少なくとも表面ｆ１又は裏面ｆ２の一方（図示例では双方）から突設する凸状掛止部２６Ｂを形成している。従って、図６（Ｂ）に示すように、折りたたみ式スパチュラを前記容器体３０の口部４４に対して容易に仮置きすることができる。
【００１４】
第５の手段は、第１の手段から第４の手段のいずれかを有し、かつ  前記柄部４は、前記第１位置において、少なくとも前記スパチュラ本体２０の先端部２０ｂに形成する保持部２４を覆う収納部Ｒを有する。
【００１５】
本手段では、前記柄部４は、図３に示す折りたたみ状態において、少なくとも前記スパチュラ本体２０の先端部２０ｂに形成する保持部２４を覆う収納部Ｒを有している。従って、保持部２４に埃などが付着することを防止できる。
【発明の効果】
【００１６】
第１の手段に係る発明によれば、スパチュラ本体２０の基端部２０ａと柄部４の長手方向の一方端部４ａとを枢着軸Ａで連結したから、保管時には、前記スパチュラ本体２０と柄部４とが前記枢着軸Ａの方向から見て重なり合う折りたたみ状態としておき、使用する時に、前記柄部４に対して前記スパチュラ本体２０が反転された状態へ当該スパチュラ本体２０を回転操作させることができるので、使い勝手が良い。
第２の手段、第３の手段又は第４の手段によれば、前記スパチュラ本体２０に前記容器体の一部に掛止させるための掛止部を形成したから、この掛止部を用いて前記容器体３０に折りたたみ式のスパチュラを仮置きすることができ、好適である。
第２の手段に係る発明によれば、前記スパチュラ本体２０の先端部２０ｂに前記容器体３０の口部４４から内容物を取り出して保持するための保持部２４を形成するとともに、前記スパチュラ本体２０の先端部２０ｂ及び基端部２０ａの間の中間部２０ｃに前記掛止部２６を設けたから、扱い易い。
また第３の手段に係る発明によれば、前記掛止部２６として、前記スパチュラ本体２０の幅方向の側辺Ｓの一部を凹設してなる凹状掛止部２６Ａを形成したから、当該掛止部がスパチュラ本体２０の側面Ｓから突出することがなく、スパチュラ栓体の嵩張りを抑えることが可能となる。
第４の手段に係る発明によれば、前記掛止部２６として、凸状掛止部２６Ｂを形成したから、折りたたみ式スパチュラを前記容器体３０に対して容易に仮置きすることができる。
第５の手段に係る発明によれば、前記柄部４は、折りたたみ状態において、少なくとも前記スパチュラ本体２０の先端部２０ｂに形成する保持部２４を覆う収納部Ｒを有するから、保持部２４に埃などが付着することを防止できる。
【図面の簡単な説明】
【００１７】
【図１】第１本発明の実施形態に係るスパチュラ付き容器の構成を示しており、  同図（Ａ）は当該容器を側方から見た半断面図、  同図（Ｂ）は当該容器の底面図、  同図（Ｃ）は当該容器の背面図である。
【図２】図１のスパチュラ付き容器のスパチュラの正面図である。
【図３】図２のスパチュラの側方から見た断面図である。
【図４】図２のスパチュラの正面方向から見た断面図である。
【図５】図２のスパチュラの作用説明図であり、同図（Ａ）は当該スパチュラのスパチュラ本体を展開方向へ回転させる途中の様子を、同図（Ｂ）はスパチュラ本体の展開を完了した状態の様子をそれぞれ示している。
【図６】図１の容器のスパチュラを容器体の口部に仮置きした状態の説明図であり、  同図（Ａ）は、スパチュラの凹状掛止部を用いて仮置きした状態を、  同図（Ｂ）は、スパチュラの凸状掛止部を用いて仮置きした状態を、示している。
【図７】第２本発明の実施形態に係るスパチュラ付き容器の構成を示しており、  同図（Ａ）は、ホルダーを底側収納溝から外方へ引き出した状態で、当該容器を側方から見た半断面図、  同図（Ｂ）は、ホルダーを底側収納溝に収納させた状態での当該容器の底面図、  同図（Ｃ）は同図（Ｂ）のＶＩＩ（Ｃ）−ＶＩＩ（Ｃ）方向の要部断面図である。
【図８】第３本発明の実施形態に係るスパチュラ付き容器の構成を示しており、  同図（Ａ）は当該容器を側方から見た半断面図、  同図（Ｂ）は当該容器の背面図、  同図（Ｃ）は同図（Ｂ）のＩＸ（Ｃ）−ＩＸ（Ｃ）方向の断面図である。
【発明を実施するための最良の形態】
【００１８】
図１から図６は、本発明の第１実施形態に係るスパチュラ付き容器を示している。
このスパチュラ付き容器は、上面開口の口部４４を有する容器体３０と、折りたたみ式スパチュラ２とで構成されている。これら各部材は、例えば合成樹脂で形成することができる。
【００１９】
説明の都合上、まず折りたたみ式スパチュラ２の構成を説明する。この折りたたみ式スパチュラ２は、図３に示す如く、柄部４と、スパチュラ本体２０とからなる。
【００２０】
柄部４は、一方向に棒状に延びる部材である。前記柄部４は、後述のスパチュラ本体２０と同長或いはそれ以上の長さを有し、その長手方向の一方端部４ａに前記スパチュラ本体２０を枢着するための軸穴ｂを開口させている。
また前記柄部４は、その内部に少なくとも後述の保持部（掬い部２４）を収納するための収納部Ｒを備えている。本実施形態の収納部Ｒは、スパチュラ本体２０全体を収納できるように形成している。
前記掬い部２４が収納部Ｒ内に収納されることにより、前記掬い部２４に内容物が残存した場合に、それが周囲を汚すことを抑制すること、及び、前記掬い部２４に埃などの汚れが付着することを抑制することもできる。
本実施形態において、前記柄部４は、図３において、長手方向の他方端部４ｂである水平な端板部６と、この端板部６の両側から垂直方向へ平行に突設するほぼ帯板状の一対のカバー板部８とからなる。
そしてこれらカバー板部８の突出方向の先端側に前記軸穴ｂが穿設されている。また両カバー板部８の間に形成される空間（収納用凹部）を前記収納部Ｒとしている。
図示例では、図２に示す如く、それらカバー板部８の突出方向の先端側の縁部をほぼ半円弧形の弧状縁部１１に形成するとともに、この弧状縁部１１から前記端板部６側へカバー板部８の幅方向中間部を通る切り割り溝１０を穿設しており、この切り割り溝１０の途中に前記軸穴ｂが形成されている。
この切り割り溝１０は、前記軸穴ｂよりも前記弧状縁部１１寄りの第１溝部１０ａと、前記軸穴ｂよりも前記端板部６寄りの第２溝部１０ｂとを含む。
前記第１溝部１０ａは、後述の軸棒部２２を前記弧状縁部１１から前記軸穴ｂへ強制的に挿通させるための挿通用溝部である。
図示の第１溝部１０ａは、前記弧状縁部１１から前記軸穴ｂに近づくほどに幅狭となるテーパ状溝部である。こうした構成とすることにより、前記軸穴ｂへ前記軸棒部２２を挿通させるときに前記第１溝部１０ａを強制的に押し広げて当該軸棒部２２を通すことが容易となる。
そして前記軸穴ｂ側の第１溝部１０ａの端部での幅は、当該軸穴ｂの径より小である。この構成により、この軸穴ｂ内に嵌着された前記軸棒部２２が前記弧状縁部１１側へ脱落することを防止している。
また前記第２溝部１０ｂは、前記第１溝部１０ａより幅狭に形成している。
この第２溝部１０ｂを穿設することで、前記軸棒部２２を前記第１溝部１０ａへ差し込むときに、当該第１溝部１０ａを押し広げることが容易となり、前記軸穴ｂへの前記軸棒部２２の取り付けを容易とすることができる。
また、後述の回り止め突起２３ａ、２３ｂが前記第２溝部１０ｂの開口端に係合する（嵌まる）ことにより、スパチュラ本体２０の回転位置を使用状態（展開状態）と非使用状態（収納状態）とに保持することができる。
前記カバー板部８の側方から見た輪郭は、図２に示すように、前記弧状縁部１１と、前記端板部６に沿って現れる短辺１２と、前記カバー板部８の幅方向の両側に現れる２つの長辺１３Ａ、１３Ｂとで形成される。
そして前記カバー板部８の長手方向中間部には、一方の長辺１３Ａから内側に食い込む弧状切溝１４を形成している。この弧状切溝１４は、折りたたみ式スパチュラ２の折りたたみ状態で、後述の凸状掛止部２６Ｂを収納させるための部位であり、前記軸穴ｂを曲率中心とする円弧状に形成されている。
前記カバー板部８の他方の長辺１３Ｂの一部には、当該カバー板部８の幅方向内側へ凹む形状の操作用凹部１６が形成されている。
この操作用凹部１６は、前記スパチュラ本体２０を前記収納部Ｒから押し出すための部位であり、図示例では円弧状に形成されている。前記操作用凹部１６は、前記弧状切溝１４よりも前記端板部６寄りに形成することが好ましい。
【００２１】
スパチュラ本体２０は、好ましくはほぼ帯板状の部材であり、その長手方向の根元側の端部である基端部２０ａを前記柄部４に枢着軸Ａを介して連結させている。
図示例では、前記スパチュラ本体２０の基端部２０ａの表面ｆ１及び裏面ｆ２から短い一対の軸棒部２２が突設されている。そして、各軸棒部２２が前記一対のカバー板部８の軸穴ｂに嵌挿することにより、前記枢着軸Ａが構成されている。
もっとも、これらの構造は適宜変更することができる。例えば、スパチュラ本体２０の基端部２０ａの表面ｆ１及び裏面ｆ２に一対の軸穴を形成するとともに、各軸穴に嵌挿される一対の軸棒部を、前記カバー板部８の対応箇所から内方突設させても良い。
図示例では、図２に示す如く、前記軸棒部２２には、前記カバー板部８の長手方向の両側に突出する一対の回り止め突起２３ａ、２３ｂを付設している。これら一対の回り止め突起２３ａ、２３ｂと前記第２溝部１０ｂとで回転位置決め機構Iを形成している。
すなわち、図２に示すように、一方の回り止め突起２３ａが前記第２溝部１０ｂと係合するときに、前記柄部４と前記スパチュラ本体２０とが前記枢着軸Ａの方向から見て重なり合う折り返し状態となる。
また図５（Ｂ）に示すように、他方の回り止め突起２３ｂが前記第２溝部１０ｂと係合するときに、前記柄部４と前記スパチュラ本体２０とが直線状に延びる展開状態となる。
なお、この展開状態で前記他方の回り止め突起２３ｂが前記第２溝部１０ｂと係合することで、前記展開状態が保持され、前記スパチュラ本体２０が不意に前記柄部４に対して相対的に回転することが規制される。従って、操作性が向上する。
前記スパチュラ本体２０の先端部２０ｂには、前記容器体３０の口部４４から内容物を取り出して保持するための保持部として、掬い部２４を形成している。図示例の掬い部２４は、スパチュラ本体２０の先端部２０ｂの片面に形成された浅い凹みとして形成されているが、内容物を取り出すことが可能であればどのような形状であっても構わない。
前記先端部２０ｂの縁部は、図４に示す如く、半円形縁部２１に形成されている。この半円形縁部２１は、前記スパチュラ本体２０の折りたたみ状態で前記カバー板部８の弧状縁部１１にほぼ重なるように形成する（図２参照）。
【００２２】
前記スパチュラ本体２０の先端部２０ｂ及び基端部２０ａの間の中間部２０ｃには、図４に示す如く、容器体３０の一部（図示例では口部４４）に掛止させるための掛止部２６が形成されている。
本実施形態では、前記掛止部２６として、一対の凹状掛止部２６Ａ及び一対の凸状掛止部２６Ｂが形成されている。
前記一対の凹状掛止部２６Ａは、前記スパチュラ本体２０の中間部２０ｃにおいて、前記スパチュラ本体２０の一対の側辺Ｓを幅方向内側へ凹設させてなる。
図示例の凹状掛止部２６Ａの輪郭は、図４に示す如く、前記スパチュラ本体２０の幅方向に直線的に延びる第１辺２７ａと、この第１辺２７ａから前記スパチュラ本体２０の基端部２０ａ側へ前記スパチュラ本体２０の長手方向へ直線的に延びる第２辺２７ｂと、この第２辺２７ｂから前記基端部２０ａ寄りに前記スパチュラ本体２０の長手方向に対して斜めに延びる第３辺２７ｃとで形成されている。
そして前記第１辺２７ａと前記第２辺２７ｂとの間にほぼ直角な隅角部Ｃが形成され、この隅角部Ｃ付近を後述の容器体３０の口部４４に掛止できるようにしている。
前記一対の凸状掛止部２６Ｂは、前記中間部２０ｃにおいて板状の前記スパチュラ本体２０の表面ｆ１及び裏面ｆ２の双方から反対向きに突設している。これら凸状掛止部２６Ｂの長さは、前記口部４４に対して安定して掛け留めできるように設計するものとし、かつ、図３に示すスパチュラの折畳み状態において、前記柄部４の輪郭の外に付き出さないように設計することが望ましい。
もっとも、これらの構成は適宜変更することができ、例えば前記一対の凹状掛止部２６Ａの一方、或いは前記一対の凸状掛止部２６Ｂの一方を省略しても構わない。
また掛止部を設けることは、本発明の必須の要件ではなく、凹状掛止部及び凸状掛止部を設けなくても構わない。
【００２３】
容器体３０は、図１（Ｃ）に示す如く、容器本体３２と、蓋体５０と、ホルダー６０とで形成されている。これら各部材は例えば合成樹脂で形成することができる。
【００２４】
前記容器本体３２は、図１（Ａ）に示す如く、底壁部３４の周端部から筒周壁４２を起立している。図示例では、前記筒周壁４２の上部を、口頸部である小外径部４５に形成しており、この小外径部の上端部を口部４４としている。図示例のものは広口のジャー容器に形成されている。前記口部４４の上部は、小外径部に形成されており、この小外径部の外面には、雄ネジ部４６が形成されている。
前記底壁部３４には、図１（Ｂ）に示す如く、その内周側から半径方向外側へ延び、この外側へ開口する底壁側収納溝４０を形成している。この底壁側収納溝４０は、後述のホルダー６０の取付板部６４を差し込むための部位である。
図示例では、図１（Ａ）に示す如く、前記底壁部３４の下面の外周部を下方へ膨出させて、接地用環状突部３８が形成されている。そして、図１（Ｂ）に示す如く、この接地用環状突部３８を前記半径方向に横断させて、前記底壁側収納溝４０が形成されている。
【００２５】
前記蓋体５０は、図１（Ａ）に示す如く、蓋板５２の周端部から蓋周壁５６を垂下させており、この蓋周壁５６を前記口部４４の外面に嵌合させている。図示例では、前記蓋板５２の下面にパッキン５４を付設するとともに、前記蓋周壁５６の内面に前記雄ネジ部４６を噛み合わせる雌ネジ部５７が形成されている。
【００２６】
前記ホルダー６０は、図１（Ａ）に示す如く、前記容器本体３２の一部に取り付けられ、前記折りたたみ式スパチュラ２を保持できるように形成されている。
本実施形態に示す第１ホルダー６０Ａは、前記底壁側収納溝４０内に側外方から嵌挿された水平な取付板部６４と、この取付板部６４の外端に付設された縦筒状の保持筒部６８とで形成されている。このホルダーは一体成形することができる。
前記取付板部６４の上面は、図１（Ａ）に示す両面テープ６６を介して、前記底壁側収納溝４０の内面に接着されている。もっとも両面テープに代えて、嵌着その他の方法で前記取付板部６４を前記底壁側収納溝４０に連結させても構わない。
前記保持筒部６８の筒孔は、スパチュラ装着用の受け孔Ｈに形成されている。この受け孔Ｈ内に装着することで、折りたたみ式のスパチュラ２を容器本体３の外に起立状態で保持することができる。
前記容器本体３２にホルダー６０を設けることによって、スパチュラ２を起立状態で保持することが可能であり、スパチュラ２の取り出しが行い易い。
また前記容器本体の外にスパチュラ２の保管場所を用意したから、使用毎に保管場所にスパチュラ２を戻すことが容易であり、従って、スパチュラ２の紛失を生じにくい。
更に、前記スパチュラ２を折りたたみ状態（収納状態）で保管することが可能であり、衛生的である。
これらの利点（効果）は、後述の第２実施形態、第３実施形態でも同じである。
本実施形態において、前記保持筒部６８は、図１（Ｂ）に示す如く、上方から見て長方形状の縦筒であり、内外一対の長壁部７２を含む。これら長壁部７２は、前記取付板部６４よりも幅広であり、これら長壁部７２の対向面７４は、下側に向かってやや幅狭となるテーパ面に形成されている（図１（Ａ）参照）。
また図示の保持筒部６８は、前記取付板部６４の上面より下方へ延びる下方筒部６８ａと当該上面より上方へ延びる上方筒部６８ｂとを含む。前記下方筒部６８ａの下端面７６は前記接地用環状突部３８とほぼ面一に形成されている。
【００２７】
上記構成において、折りたたみ式スパチュラ２を使用するときには、前記第１ホルダー６０Ａから折りたたみ式スパチュラ２を引きぬく。
そして片手で前記柄部４を把持するとともに、前記操作用凹部１６に露出したスパチュラ本体２０の側辺Ｓを押すと、図５（Ａ）に示すように、前記枢着軸Ａを中心として前記スパチュラ本体２０が回転することで、前記一方の回り止め突起２３ａが前記第２溝部１０ｂから外れるとともに、前記スパチュラ本体２０が前記柄部４の収納部Ｒから部分的に押し出される。
次にこの収納部Ｒから押し出されたスパチュラ本体２０の一部を摘まんでさらに回転させると、図５（Ｂ）に示すように、前記柄部４と前記スパチュラ本体２０とが一直線に連なった展開状態となるとともに、前記他方の回り止め突起２３ｂが前記第２溝部１０ｂと係合し、前記展開状態が保持される。
この状態で、容器本体３２から蓋体５０を外し、前記折りたたみ式スパチュラ２と用いて内容物を掬い取る。前記回転操作により、スパチュラの長さを伸ばすことができるため、操作性が向上する。
特に図示例の場合には、前記柄部４と前記スパチュラ本体２０との長さがほぼ同じであり、当該スパチュラ本体２０の回転操作により、スパチュラの全長が約２倍に延びるので、前記容器本体の底壁部３４まで届き、余裕を持った使い方をすることができる。
作業の途中で折りたたみ式スパチュラ２を仮置きしたい場合（例えば掬い取った化粧料を肌に塗るために両手を使うことが必要な場合）には、図６に示すように、前記掛止部２６を容器本体３２の口部４４に掛け留めすればよい。
この掛止部２６として、前記凹状掛止部２６Ａと前記凸状掛止部２６Ｂとがあるが、どちらを用いても構わない。
前記凹状掛止部２６Ａを用いるときには、図６（Ａ）に示す如く、この凹状掛止部２６Ａの隅角部Ｃを前記口部４４の上端面に引っ掛けるようにすればよい。
また凸状掛止部２６Ｂを用いるときには、図６（Ｂ）に示す如く、この凸状掛止部２６Ｂを前記口部４４の上端面に引っ掛けるようにすればよい。
前記掛止部２６がスパチュラ本体２０の中間部２０ｃに形成されているから、前記仮置き状態で前記掬い部２４に付着した内容物が容器体３０の回りや周囲の場所（化粧台など）に付着するおそれがない。また前記仮留め状態において、前記柄部４は下外方へ傾斜しているため、再度スパチュラを使用するときに、前記柄部４を把持し易く、操作性がよい。
前記折りたたみ式スパチュラ２を使い終わったら、前記スパチュラ本体２０を図５に矢示する向きと反対方向に回転させる。そうすると、前記凸状掛止部２６Ｂが前記弧状切溝１４内に入るとともに前記一方の回り止め突起２３ａが前記第２溝部１０ｂとかみ合い、図２の状態に戻る。
この状態で折りたたみ式スパチュラ２を前記第１ホルダー６０Ａに再装着すればよい。
【００２８】
以下、本発明の他の実施形態に係るスパチュラ付き容器を説明する。これらの説明において第１実施形態と同じ構成に関しては解説を省略する。
【００２９】
図７は、本発明の第２実施形態に係るスパチュラ付き容器を示している。
本実施形態では、前記ホルダー６０として、図７（Ａ）及び図７（Ｂ）に示す如く、前記底壁側収納溝４０内へ出し入れ可能に格納させた第２ホルダー６０Ｂを採用したものである。
この出し入れを可能とするために、前記第２ホルダー６０Ｂにおいては、図７（Ａ）に示す如く、前記保持筒部６８に代えて、当該保持筒部の上方筒部６８ｂを省略した保持リング７０を設けている。
前記保持リング７０の平面形状は長方形状としているが、この構造は適宜変更することができる。
また本実施形態では、図７（Ｂ）に示す如く、前記両面テープ６６に代えて、前記底壁側収納溝４０と前記取付板部６４との対応箇所に、当該取付板部の脱落を防止しながら、取付板部６４の出し入れ操作を案内するガイド機構Ｇを設ける。
図示例のガイド機構Ｇは、図７（Ｃ）に示す如く、底壁側収納溝４０の両側内面に付設した一対のガイド凸条４１と、前記取付板部６４の両側面及び底面の間の角部を切り欠いてなる一対のガイド凹条６５とで形成されている。もっともこの構成は適宜変更することができ、例えば底壁側収納溝４０に凹設した一対のガイド凹条と、前記取付板部６４に付設した一対のガイド凸条とで形成してもよい。
図示例では、図７（Ｂ）に示す如く、前記保持リング７０と反対側の取付板部６４の端部において、前記ガイド凹条の形成を省略している。こうすることにより、ガイド凹条の形成を省略した角部を、前記取付板部６４の抜け出しを防止するストッパ６７としている。
前記一対のガイド凸条４１は、図７（Ｂ）に示す如く、底壁側収納溝４０の長手方向の一部に設ければよい。そのガイド凸条４１の長さは、前記容器本体３２に第２ホルダー６０Ｂを装着させるときに、前記取付板部６４の端部を前記底壁側収納溝４０内へ押し込むことにより、前記ストッパ６７が前記ガイド凸条４１を強制的に乗り越えることが可能な程度の長さに設計するとよい。
図示例の底壁側収納溝４０は、図７（Ａ）に示す如く、前記底壁部３４の中心側から外方に向かって、前記取付板部６４とほぼ同巾の狭幅部４０ａから前記保持リング７０とほぼ同巾の広幅部４０ｂへ拡幅するように形成している。そして図示例では、前記ガイド凸条４１を前記狭幅部４０ａの一部（広幅部と隣接する部分）に設けている。
もっともこれらの構造は適宜変更することができ、例えば前記取付板部６４と前記保持リング７０とが同じ巾であるときには、底壁側収納溝４０もその全長に亘って同巾とすればよい。
本実施形態の構成によれば、非使用時、例えば商品の流通段階などには、前記第２ホルダー６０Ｂを前記底壁側収納溝４０内に格納しておき、使用時に前記第２ホルダー６０Ｂを外側へ引き出して、折りたたみ式スパチュラ２を装着できるので、第１実施形態に比べて、非使用時に嵩張らないという利点がある。
またホルダーの収納場所を容器の底壁部３４下面に形成したから、容器の外観を損なわないという利点がある。
【００３０】
図８は、本発明の第３実施形態に係るスパチュラ付き容器を示している。
本実施形態では、第１実施形態の底壁側収納溝４０に代えて、前記筒周壁４２に形成された周壁側収納溝４８を形成している。
この周壁側収納溝４８は、図８（Ｂ）に示す如く、図示例において、ほぼ矩形に形成されている。前記周壁側収納溝４８の下端の両側には、一対の軸受凹部４９が形成されている。
これら軸受凹部４９の下面外側には、後述の揺動軸部６３の抜け出しを防止するための抜止め用凸部４９ａを形成するとよい。
また図示例の周壁側収納溝４８の上端は、図８（Ａ）に示す如く、前記筒周壁４２の小外径部４５に連続している。この小外径部４５の外面は前記周壁側収納溝４８の底面とほぼ面一になっている。
従って、前記容器本体３２を金型成形するときに、型抜きが容易である。
また本実施形態では、前記ホルダー６０として、前記周壁側収納溝４８に取り付けられた第３ホルダー６０Ｃが形成されている。
この第３ホルダー６０Ｃは、図８（Ｂ）に示す如く、前記周壁側収納溝４８内に格納される揺動板部６２と、この揺動板部の下端両側から突設した一対の揺動軸部６３とを有する。
これら揺動軸部６３は前記軸受凹部４９内に回転可能に嵌合されており、図８（Ａ）に実線で示す外方展開位置と同図に想像線で示す格納位置との間で前記揺動板部６２を回転させることが可能に設けている。
前記揺動板部６２には、受け孔Ｈが貫設されており、前記外方展開位置において前記折りたたみ式スパチュラ２を前記受け孔Ｈに装着することができる。
前記一対の揺動軸部６３と反対側の揺動板部６２の端部には、指掛け部６２ａが形成されている。
本実施形態の構成によれば、非使用時、例えば商品の流通段階などには、前記第３ホルダー６０Ｃを前記周壁側収納溝４８内に格納しておき、使用時に前記第３ホルダー６０Ｃを外側へ引き出して、折りたたみ式スパチュラ２を装着できるので、第１実施形態に比べて、非使用時に嵩張らないという利点がある。
またホルダーの収納場所を容器の筒周壁４２外面に形成したから、前記周壁側収納溝４８に格納された第３ホルダー６０Ｃの指掛け部６２ａに指を掛けて外方へ引き出すことが容易であり、操作性がよいという利点がある。
【００３１】
なお、前述の各実施形態は、本発明の好適な実施例に過ぎず、本発明の技術的範囲はこれらの形態に限定されるものではない。
例えば前記スパチュラ保持用のホルダーは、前記スパチュラの折りたたみ状態で保持するものに限らず、当該スパチュラの展開状態で保持できるものも含む。
また容器本体に前記ホルダーを設けていない構造も本発明の範囲に含まれる。
【符号の説明】
【００３２】
２…折りたたみ式スパチュラ
４…柄部  ４ａ…一方端部  ４b…他方端部  ６…端板部  ８…カバー板部
１０…切り割り溝  １０ａ…第１溝部  １０ｂ…第２溝部  
１１…弧状縁部  １２…短辺  １３Ａ、１３Ｂ…長辺  １４…弧状切溝
１６…操作用凹部  
２０…スパチュラ本体  ２０ａ…基端部  ２０ｂ…先端部  ２０ｃ…中間部
２１…半円状縁部
２２…軸棒部  ２３ａ、２３ｂ…回り止め突起  ２４…保持部（掬い部）
２６…掛止部  ２６Ａ…凹状掛止部  ２６Ｂ…凸状掛止部  ２７ａ…第１辺
２７ｂ…第２辺  ２７ｃ…第３辺
３０…容器体  ３２…容器本体  ３４…底壁部  ３８…接地用環状突部
４０…底壁側収納溝  ４０ａ…狭幅部  ４０ｂ…広幅部  ４１…ガイド凸条
４２…筒周壁  ４４…口部  ４５…小外径部（口頸部）  ４６…雄ネジ部
４８…周壁側収納溝
４９…軸受凹部  ４９ａ…抜止め用凸部    
５０…蓋体  ５２…蓋板  ５４…パッキン  ５６…蓋周壁  ５７…雌ネジ部
６０…ホルダー  ６０Ａ…第１ホルダー  ６０Ｂ…第２ホルダー
６０Ｃ…第３ホルダー  
６２…揺動板部  ６２ａ…指掛け部  ６３…揺動軸部  
６４…取付板部  ６５…ガイド凹条  ６６…両面テープ  ６７…ストッパ
６８…保持筒部
６８ａ…下方筒部  ６８ｂ…上方筒部  ７０…保持リング
７２…長壁部  ７４…対向面  
７６…下端面
Ａ…枢着軸  b…軸穴  Ｃ…隅角部  ｆ１…表面  ｆ２…裏面  Ｇ…ガイド機構
Ｈ…受け孔  I…回転位置決め手段  Ｌ…長壁部
Ｒ…収納部（収納用凹部）  Ｓ…側辺
【図１】
2020103693.tif 000003
【図２】
2020103693.tif 000004
【図３】
2020103693.tif 000005
【図４】
2020103693.tif 000006
【図５】
2020103693.tif 000007
【図６】
2020103693.tif 000008
【図７】
2020103693.tif 000009
【図８】
2020103693.tif 000010